(57)【要約】【課題】本発明は、ログ情報を簡単かつ適切に検索する画像処理装置、画像処理方法、画像処理プログラム及び記録媒体に関する。【解決手段】複合装置１は、動作管理機能部２１が、入出力機能部２６〜２８において入力された動作種別に対する動作条件に応じた画像処理を画像データに対して施して、動作ログ書き込み機能部２３を介して該画像処理動作の実行に対する動作実行履歴を動作種別に対する動作条件とともにログ情報として動作ログ記憶機能部２５に記憶し、該動作条件の入力方式と同様の入力方式で、入出力機能部２６〜２８から入力された動作条件をログ検索用動作条件としてログ検索条件を検索条件生成機能部４２で生成して、動作ログ検索読み取り機能部４３が、生成された該ログ検索条件に基づいて動作ログ記憶機能部２５からログ情報を検索する。【選択図】          図２
2010098557.tif 000002
【特許請求の範囲】
【請求項１】
複数の動作種別に対して動作条件を所定の入力方式で入力する入力手段と、画像データに対して該入力手段から入力される動作条件に応じた画像処理を施す画像処理実行手段と、ログ情報を記憶するログ情報記憶手段と、該入力手段から入力された動作種別に対する動作条件と該画像処理実行手段で実行された実行履歴を取得してログ情報として該ログ情報記憶手段に記憶させるログ情報記憶制御手段と、該入力手段での動作条件の入力方式と同様の入力方式で動作条件をログ検索用動作条件として入力する検索条件入力手段と、該検索条件入力手段で入力された複数のログ検索用動作条件からログ情報を検索するためのログ検索条件を生成するログ検索条件生成手段と、生成された該ログ検索条件に基づいて該ログ情報記憶手段からログ情報を検索するログ情報検索手段と、検索された該ログ情報を出力する出力手段と、を備えていることを特徴とする画像処理装置。
【請求項２】
前記ログ検索条件生成手段は、複数の動作種別に対して前記検索条件入力手段から入力された前記動作条件の論理積を前記ログ検索用動作条件として前記ログ検索条件を生成することを特徴とする請求項１記載の画像処理装置。
【請求項３】
前記ログ検索条件生成手段は、前記検索条件入力手段から同じ動作種別に対して複数の前記動作条件が入力されると、入力された複数の該動作条件の論理和を該動作種別の前記ログ検索用動作条件として前記ログ検索条件を生成することを特徴とする請求項１または請求項２記載の画像処理装置。
【請求項４】
前記画像処理装置は、複数の動作種別のそれぞれに対して予め設定されている設定ログ検索用動作条件を記憶する設定動作条件記憶手段を備えており、前記ログ検索条件生成手段は、前記検索条件入力手段で動作条件が非入力の動作種別の前記ログ検索用動作条件として、該動作種別に対して該設定動作条件記憶手段に記憶されている設定ログ検索用動作条件を用いて前記ログ検索条件を生成することを特徴とする請求項１から請求項３のいずれかに記載の画像処理装置。
【請求項５】
前記ログ検索条件生成手段は、前記検索条件入力手段で動作条件が非入力の動作種別については、該動作種別のログ検索用動作条件を除外して前記ログ検索条件を生成することを特徴とする請求項１から請求項３のいずれかに記載の画像処理装置。
【請求項６】
前記画像処理装置は、前記検索条件入力手段で動作条件が非入力の動作種別に対するログ検索用動作条件の決定方法として、予め設定されている設定ログ検索用動作条件を用いる決定方法と該動作種別のログ検索用動作条件を除外する決定方法のいずれかを選択する動作条件選択手段を備え、前記ログ検索条件生成手段は、動作条件が非入力の動作種別に対して該動作条件選択手段で選択された決定方法によってログ検索用動作条件を決定し、決定した該ログ検索用動作条件に基づいて前記ログ検索条件を生成することを特徴とする請求項１から請求項３のいずれかに記載の画像処理装置。
【請求項７】
前記画像処理装置は、前記動作条件選択手段での対処方法の選択結果を使用者毎に記憶する対処方法記憶手段を備え、前記検索条件入力手段は、ログ情報の検索を要求する使用者を特定する使用者情報の入力が可能であり、前記ログ検索条件生成手段は、前記検索条件入力手段で入力された使用者情報の使用者に対して該対処方法記憶手段に記憶されている対処方法及び該検索条件入力手段から入力されたログ検索用動作条件に基づいて前記ログ検索条件を生成することを特徴とする請求項６記載の画像処理装置。
【請求項８】
複数の動作種別に対して動作条件を所定の入力方式で入力する入力ステップと、画像データに対して該入力ステップで入力される動作条件に応じた画像処理を施す画像処理実行ステップと、該入力ステップで入力された動作種別に対する動作条件と該画像処理実行ステップで実行された実行履歴を取得してログ情報としてログ情報記憶手段に記憶させるログ情報記憶制御ステップと、該入力ステップでの動作条件の入力方式と同様の入力方式で動作条件をログ検索用動作条件として入力する検索条件入力ステップと、該検索条件入力ステップで入力された複数のログ検索用動作条件からログ情報を検索するためのログ検索条件を生成するログ検索条件生成ステップと、生成された該ログ検索条件に基づいて該ログ情報記憶手段からログ情報を検索するログ情報検索ステップと、検索された該ログ情報を出力する出力ステップと、を有していることを特徴とする画像処理方法。
【請求項９】
前記ログ検索条件生成ステップは、複数の前記動作種別に対して前記検索条件入力ステップで入力された前記動作条件の論理積を前記ログ検索用動作条件として用いて前記ログ検索条件を生成することを特徴とする請求項８記載の画像処理方法。
【請求項１０】
前記ログ検索条件生成ステップは、前記検索条件入力ステップで同じ動作種別に対して複数の前記動作条件が入力されると、入力された複数の該動作条件の論理和を該動作種別のログ検索用動作条件として前記ログ検索条件を生成することを特徴とする請求項８または請求項９記載の画像処理方法。
【請求項１１】
前記ログ検索条件生成ステップは、前記検索条件入力ステップで動作条件が非入力の動作種別の前記ログ検索用動作条件として、該動作種別に対して予め設定されている設定ログ検索用動作条件を用いて前記ログ検索条件を生成することを特徴とする請求項８から請求項１０のいずれかに記載の画像処理方法。
【請求項１２】
前記ログ検索条件生成ステップは、前記検索条件入力ステップで動作条件が非入力の動作種別については、該動作種別のログ検索用動作条件を除外して前記ログ検索条件を生成することを特徴とする請求項８から請求項１０のいずれかに記載の画像処理方法。
【請求項１３】
コンピュータに、複数の動作種別に対して動作条件を所定の入力方式で入力する入力処理と、画像データに対して該入力処理で入力される動作条件に応じた画像処理を施す画像処理実行処理と、該入力処理で入力された動作種別に対する動作条件と該画像処理実行処理で実行された実行履歴を取得してログ情報としてログ情報記憶手段に記憶させるログ情報記憶制御処理と、該入力ス処理での動作条件の入力方式と同様の入力方式で動作条件をログ検索用動作条件として入力する検索条件入力処理と、該検索条件入力処理で入力された複数のログ検索用動作条件からログ情報を検索するためのログ検索条件を生成するログ検索条件生成処理と、生成された該ログ検索条件に基づいて該ログ情報記憶手段からログ情報を検索するログ情報検索処理と、検索された該ログ情報を出力する出力処理と、を実行させることを特徴とする画像処理プログラム。
【請求項１４】
請求項１３記載の画像処理プログラムを記録したことを特徴とするコンピュータが読み取り可能な記録媒体。
【発明の詳細な説明】
【技術分野】
【０００１】
本発明は、画像処理装置、画像処理方法、画像処理プログラム及び記録媒体に関し、詳細には、ログ情報を簡単かつ適切に検索する画像処理装置、画像処理方法、画像処理プログラム及び記録媒体に関する。
【背景技術】
【０００２】
プリンタ装置、複写装置、ファクシミリ装置、複合装置等の画像処理装置においては、操作パネルからの操作に応じてジョブの内容を決定し、決定した内容のジョブを実行する。画像処理装置は、例えば、操作パネルからの操作に応じて、コピージョブの用紙サイズ、コピー枚数、カラーの有無、解像度等を決定し、決定したジョブ内容に応じて各部を制御して設定操作された内容のジョブを実行する。
【０００３】
そして、画像処理装置は、ジョブを実行すると、実行したジョブの履歴をログ情報として不揮発性メモリに記憶し、画像処理装置の動作履歴管理や異常発生時等に対応するために、記憶しているログ情報のなかから該参照対象のログ情報を検索して、該検索したログ情報を参照して異常対策や保守管理等に利用することが行われている。
【０００４】
このようなログ情報の管理においては、種々の技術が提案されている。例えば、一連のジョブを実行すると、該一連のジョブのログ情報を関連づけて記録する技術が提案されている（特許文献１参照）。すなわち、この従来技術は、操作者による一連の操作から派生したログ情報を判別可能としている。
【０００５】
また、従来、ユーザによる操作を特定する情報と、隣接するジョブログとの連携を示す情報と、を含むジョブログを生成して記録し、ユーザによって一連の操作であるシーケンスを構成するジョブログを抽出して、該シーケンスをユーザに提示する技術が提案されている（特許文献２参照）。
【０００６】
さらに、従来、操作パネルでのキー操作に基づいて実行されるジョブ及び装置各部の動作状態を検知してログ情報として記憶する際に、操作パネルでのキー操作に基づいて実行されるジョブの種別を特定してジョブ種別に対応する固有のジョブ識別タグを生成して、操作パネルで操作されたキーの種別、該キー操作時の時刻及び生成されたジョブ識別タグをキー操作に対応するキー押下情報として記憶する技術が提案されている（特許文献３参照）。すなわち、この従来技術は、ログ情報を各ジョブのキー操作情報に関連づけて記憶することで、ログ情報の検索効率を向上させようとしている。
【０００７】
そして、従来、画像処理装置のメモリに蓄積されるログ情報（ジョブログ情報、セキュリティログ情報、送受信ログ情報等の画像処理装置が動作した際のログ情報）に対して検索を行う場合、上記各特許文献記載の従来技術においても、予め用意したキーワード等の言葉に基づいて必要なログ情報を選択する方法や操作者が直接言葉や言葉の一部を入力して必要なログ情報を選択する方法が用いられている。
【０００８】
【特許文献１】特開２００６−２１１５８７号公報
【特許文献２】特開２００６−２９３９０３０号広報
【特許文献３】特開２００６−９３８２４号広報
【発明の開示】
【発明が解決しようとする課題】
【０００９】
しかしながら、上記従来技術にあっては、ログ情報を記憶するメモリから必要とするログ情報を検索するために、操作者が、予め用意されているキーワード等を選択したり、直接言葉や言葉の一部を入力して必要なログ情報を検索していたため、ログ検索操作の操作性が悪く、利用性が悪いという問題があった。特に、操作者がログ情報を検索する場合、検索条件に用いる言葉等が専門的な言葉や記号等を必要とするときには、適切な検索条件を設定して必要なログ情報を取得することが困難であり、利用性を向上させる上で改良の必要があった。
【００１０】
そこで、本発明は、記憶されているログ情報から必要なログ情報を簡単かつ適切に検索して取得することのできる画像処理装置、画像処理方法、画像処理プログラム及び記録媒体を提供することを目的としている。
【課題を解決するための手段】
【００１１】
本発明は、上記目的を達成するために、所定の入力方式で入力された動作種別に対する動作条件に応じた画像処理を画像データに対して施して、動作実行履歴を動作種別に対する動作条件とともにログ情報としてログ情報記憶手段に記憶し、該動作条件の入力方式と同様の入力方式で入力された動作条件をログ検索用動作条件としてログ検索条件を生成して、生成された該ログ検索条件に基づいて該ログ情報記憶手段からログ情報を検索して出力することを特徴としている。
【００１２】
また、本発明は、前記ログ検索条件の生成において、複数の動作種別に対して入力された動作条件の論理積を前記ログ検索用動作条件として前記ログ検索条件を生成することを特徴としてもよい。
【００１３】
さらに、本発明は、前記ログ検索条件の生成において、同じ動作種別に対して複数の動作条件が入力されると、入力された複数の該動作条件の論理和を該動作種別のログ検索用動作条件として前記ログ検索条件を生成することを特徴としてもよい。
【００１４】
また、本発明は、前記ログ検索条件の生成において、動作条件が非入力の動作種別については、該動作種別に対して予め設定されている設定ログ検索用動作条件を前記ログ検索用動作条件として前記ログ検索条件を生成することを特徴としてもよい。
【００１５】
さらに、本発明は、前記ログ検索条件の生成において、動作条件が非入力の動作種別については、該動作種別のログ検索用動作条件を除外して前記ログ検索条件を生成することを特徴としてもよい。
【発明の効果】
【００１６】
本発明によれば、記憶されているログ情報から必要なログ情報を簡単かつ適切に検索して取得することができる。
【発明を実施するための最良の形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図１９は、本発明の画像処理装置、画像処理方法、画像処理プログラム及び記録媒体の一実施例を示す図であり、図１は、本発明の画像処理装置、画像処理方法、画像処理プログラム及び記録媒体の一実施例を適用した複合装置１のハードウェアのブロック構成図である。
【００１９】
図１において、複合装置１は、ＣＰＵ（Central Processing Unit ）２、ＲＯＭ（Read Only Memory）３、ＲＡＭ（Random Access Memory）４、補助記憶部５、プロッタユニット６、スキャナユニット７、操作ユニット８、表示ユニット９及びネットワークＩ／Ｆ１０等を備えており、上記各部は、システムバス１１によって接続されている。
【００２０】
ＲＯＭ３は、複合装置１としての基本処理プログラムや後述する本発明の画像処理方法を実行する画像処理プログラム及びこれらのプログラムを実行するのに必要な各種データやシステムデータ等を格納している。
【００２１】
ＣＰＵ（ログ情報記憶制御手段、ログ検索条件生成手段、ログ情報検索手段）２は、ＲＯＭ内のプログラムに基づいてＲＡＭをワークメモリとして使用しながら、複合装置１の各部を制御し、複合装置１としての基本処理等を実行するとともに、後述する画像処理方法を実行する。
【００２２】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像処理方法を実行する画像処理プログラムを読み込んでＲＯＭ３や補助記憶部５に導入することで、後述するログ情報を簡単かつ適切に検索する画像処理方法を実行する画像処理装置として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２３】
補助記憶部（ログ情報記憶手段、設定動作条件記憶手段）５は、大容量の書き込み／読み出し可能な不揮発性のメモリ、例えば、ハードディスク等で構成され、読み取り画像データ、受信画像データ等の画像データ、複合装置１の動作に必要なその他のデータ、特に、各種動作に関連するログ情報やユーザ情報等を、ＣＰＵ２の制御下で記憶する。
【００２４】
スキャナユニット７は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナユニット７の原稿読み取り位置に送給する。スキャナユニット７は、ＡＤＦから搬送されてきた原稿を走査し、原稿の画像を所定の解像度で読み取る。
【００２５】
プロッタユニット６は、所定の印刷方式、例えば、電子写真方式で印刷対象の画像データに基づいて、受信された画像データやスキャナユニット７で読み取られた原稿の画像を用紙に記録出力する。プロッタユニット７は、電子写真方式の場合、図示しないが、レーザを用いた電子写真方式で用紙に画像データを記録出力するのに必要な部品、例えば、感光体、光書込部、現像部、帯電部及びクリーニング部等を備えており、画像データ及び制御信号により光書き込み部を動作させて感光体上に静電潜像を形成して、現像部によりトナーを感光体上に供給して現像してトナー画像を形成する。プロッタユニット６は、給紙部から用紙搬送路を経由させて用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を用紙に印刷出力する。また、プロッタユニット６は、白黒印刷機能だけでなく、カラー印刷機能を備えていてもよい。
【００２６】
操作ユニット８は、複合装置１の各種機能を実行させるための各種命令を入力する操作キー、例えば、電源キー、テンキー、スタートキー、ファンクションキー、ワンタッチダイヤルキー及び短縮ダイヤルキー等が設けられているとともに、各種情報を通知するためのランプ（例えば、ＬＥＤ（Light Emitting Diode）等）が設けられている。
【００２７】
表示ユニット９は、例えば、液晶ディスプレイ等が用いられており、ＣＰＵ２の制御下で、操作ユニット８から入力された命令内容や複合装置１からオペレータに通知する各種情報を表示する。表示ユニット９は、例えば、液晶ディスプレイの上面にタッチパネルが配設されていてもよく、この場合、液晶ディスプレイ上に、複合装置１の状態情報や複合装置１からオペレータに通知する各種メッセージ等の情報を表示するとともに、各種機能キーを表示し、液晶ディスプレイの機能キーにタッチされると、タッチパネルが該タッチ位置を検出して、ＣＰＵ２が、該機能キーに割り付けられている機能を実行する。
【００２８】
ネットワークＩ／Ｆ１０には、ＬＡＮ（Local Area Network）等のネットワークが接続されており、ＣＰＵ２は、ネットワークＩ／Ｆ１０を介して、ネットワーク上の端末との間でデータやコマンドの授受を行って、画像データを該ネットワーク上の端末に送信したり、該ネットワーク上の端末から画像データを受信する。複合装置１は、ネットワークＩ／Ｆ１０を介して端末からのコマンドに応じた画像処理を実行する。
【００２９】
上記操作ユニット８、表示ユニット９及びネットワークＩ／Ｆ１０は、複数の動作種別に対して動作条件を所定の入力方式で入力する入力手段、入力手段での動作条件の入力方式と同様の入力方式で動作条件を該ログ検索用動作条件として入力する検索条件入力手段及び検索された該ログ情報を出力する出力手段として機能している。
【００３０】
また、複合装置１は、図示しないが、公衆電話回線等のファクシミリ通信可能な通信回線に接続されており、該通信回線を介してファクシミリ受信及びファクシミリ送信するファクシミリ通信部を備えている。
【００３１】
複合装置１は、上述のように、コンピュータが読み取り可能な記録媒体に記録されている本発明の画像処理方法を実行する画像処理プログラム及び複合装置１の基本プログラムを読み込んでＲＯＭ３や補助記憶部５に導入してＣＰＵ２で実行することで、図２に示すように、ソフトウェアの機能ブロックが構成され、動作管理機能部２１、動作ログ検索機能部２２、動作ログ書き込み機能部２３、動作ログ読み取り機能部２４、動作ログ記憶機能部２５、入力機能部２６、表示機能部２７、ネットワーク入出力機能部２８、読み取り機能部２９、印刷機能部３０、メモリ管理機能部３１及びユーザ管理機能部３２等が構築されている。
【００３２】
入力機能部２６は、上記操作ユニット８を制御して、操作ユニット８としての各種命令の入力機能を実現し、表示機能部２７は、表示ユニット９を制御して、各種情報を表示する表示機能を実現する。ネットワーク入出力機能部２８は、ネットワークＩ／Ｆ１０を制御して、ネットワーク上の端末とのデータやコマンドの交換を行う。操作ユニット８を利用した入力機能部２６、表示ユニット９を利用した表示機能部２７及びネットワークＩ／Ｆ１０を利用したネットワーク入出力機能部２８は、上記入力手段、検索条件入力手段及び出力手段として機能し、以下、入出力機能部２６〜２８（図３参照）という。
【００３３】
読み取り機能部２９は、スキャナユニット７を制御して原稿の画像を読み取る読み取り処理を実行し、印刷機能部３０は、プロッタユニット６を制御して、画像データを用紙に印刷出力する印刷処理を実行する。
【００３４】
動作管理機能部２１は、入力機能部２６、表示機能部２７及びネットワーク入出力機能部２８からの命令に応じて、読み取り機能部２９、印刷機能部３０、メモリ管理機能部３１、ユーザ管理機能部３２を制御して、複合装置１としての画像処理動作（例えば、コピー動作、プリント動作、ファクシミリ動作、スキャナ動作等）を実行させるとともに、該画像処理動作に関するログ情報を生成して動作ログ書き込み機能部２３を制御して、生成した該ログ情報を動作ログ記憶機能部２５に書き込ませる。
【００３５】
メモリ管理機能部３１は、複合装置１の備えているメモリ（ＲＯＭ３、ＲＡＭ及び補助記憶部５等）の管理を行い、特に、動作管理機能部２１の制御下で、動作ログ記憶機能部２５へのログ情報の書き込みや動作ログ記憶機能部２５に格納されているログ情報の検索等を行う。
【００３６】
ユーザ管理機能部３２は、複合装置１を利用するユーザに関するユーザ情報を補助記憶部５へ登録して、複合装置１を利用するユーザを管理する。このユーザ情報は、例えば、ユーザ名、ユーザＩＤ、所属（部課等）等である。
【００３７】
動作ログ書き込み機能部２３は、動作管理機能部２１の生成したログ情報を動作ログ記憶機能部２５に書き込む。この場合、動作ログ書き込み機能部２３は、ユーザ管理機能部３２の管理するユーザ毎にログ情報を動作ログ記憶機能部２５に書き込んでもよい。
【００３８】
動作ログ記憶機能部２５は、補助記憶部５に構築され、動作ログ書き込み機能部２３によってログ情報及びユーザ情報が書き込まれるとともに、動作ログ読み取り機能部２４によって読み取られる。
【００３９】
動作ログ読み取り機能部２４は、動作ログ検索機能部２２によって設定された検索条件によって動作ログ記憶機能部２５のログ情報を検索し、検索した該ログ情報を読み取る。
【００４０】
動作ログ検索機能部２２は、検索管理機能部４１、検索条件生成機能部４２及び動作ログ検索読み取り機能部４３等を備えており、検索管理機能部４１には、検索条件生成機能部４２及び動作ログ検索読み取り機能部４３が接続されている。
【００４１】
検索条件生成機能部（ログ検索条件生成手段）４２は、コピー動作、プリント動作、ファクシミリ（ＦＡＸ）動作、画像データの補助記憶部５への文書蓄積動作、電子メール文書の作成・送信を行うｅ文書動作等の各種画像処理動作における動作条件に基づいてログ検索の検索条件（ログ検索条件）の生成を行う。検索条件生成機能部４２は、例えば、コピー動作とファクシミリ動作等の動作における複数の動作条件をアンド結合（論理積結合）やＯＲ結合（論理和結合）してログ検索条件を生成する。
【００４２】
検索管理機能部４１は、動作管理機能部２１の制御下で、入力機能部２６、表示機能部２７及びネットワーク入出力機能部２８からの検索に関する命令に応じて検索条件生成機能部４２の生成するログ検索条件によるログ情報の検索を動作ログ検索読み取り機能部４３に要求する。
【００４３】
動作ログ検索読み取り機能部４３は、検索管理機能部４１から渡されたログ検索条件によって動作ログ読み取り機能部２４を介して動作ログ記憶機能部２５のログ情報を検索して、検索結果を読み取って、検索管理機能部４１に渡し、検索管理機能部４１が検索結果のログ情報を表示機能部２７に表示させる。
【００４４】
そして、複合装置１は、読み取り機能部２９で読み取った原稿の画像データを印刷機能部３０で用紙に印刷出力するコピー動作、ネットワーク入出力機能部２８によってネットワーク上のホスト装置から受け取った画像データを印刷機能部３０で印刷出力するプリント動作、図示しないファクシミリ通信部によって受信したファクシミリ文書を印刷機能部３０で印刷出力したり読み取り機能部２９で読み取った原稿の画像データをファクシミリ通信部によってファクシミリ送信するファクシミリ（ＦＡＸ）動作、画像データの補助記憶部５への蓄積を行う文書蓄積動作、電子メール文書の作成・送信を行うｅ文書動作等の各種動作を行う。
【００４５】
次に、本実施例の作用を説明する。本実施例の複合装置１は、入力機能部２６、表示機能部２７及びネットワーク入出力機能部２８の入出力機能部２６〜２８によって動作指示される各動作条件に対応した画像処理動作を行って該動作条件とその画像処理動作の動作結果のログ情報を補助記憶部５の動作ログ記憶機能部２５に書き込み、入出力機能部２６〜２８によって選択された動作条件からログ検索条件を生成して、生成したログ検索条件に基づいてログ情報の検索を行う。なお、以下の説明では、説明を明確にするために、入出力機能部２６〜２８のうち、入力機能部２６（操作ユニット８）から動作指示があり、表示機能部２７（表示ユニット９）に操作内容やログ検索結果のログ情報等の表示を行うものとして説明するが、動作指示は、入力機能部２６（操作ユニット８）から行われる場合に限るものではなく、例えば、表示機能部２７（表示ユニット９）の機能ボタンの操作やネットワーク入出力機能部２８（ネットワークＩ／Ｆ１０）に接続されたホスト装置からの動作指示要求によって行われ、表示機能部２７（表示ユニット９）に操作内容や検索結果のログ情報等を表示したり、ネットワーク入出力機能部２８（ネットワークＩ／Ｆ１０）からホスト装置に操作内容や検索結果のログ情報等を送信してホスト装置に表示してもよい。
【００４６】
すなわち、複合装置１は、図３に示すように、ユーザＹＵによる入出力機能部２６〜２８から動作要求があると、動作管理機能部２１が動作設定画面を表示機能部２７によって表示ユニット９に表示して、該動作設定画面の表示に応じてユーザＹＵがコピー、スキャナ、プリンタ、ＦＡＸ、文書蓄積及びｅ文書等の動作種別の選択と該動作種別に対する各種動作条件の設定（動作条件設定）を行うと、動作管理機能部２１が取得して、該動作条件の設定内容を検索管理機能部４１に渡すとともに、動作条件を表示機能部２７によって表示ユニット９に表示させる。複合装置１は、さらに、次の動作種別に対する動作条件の設定が行われると、同様に、該動作種別と該動作条件の設定内容を検索管理機能部４１に渡すとともに、動作条件を表示機能部２７によって表示ユニット９に表示させるという処理を繰り返し行う。このとき、動作管理機能部２１は、動作要求を行うユーザＹＵを特定するユーザ情報の入力を要求し、入力されたユーザ情報を取得して、該ユーザ情報に関連付けて動作種別及び入力された動作条件をＲＡＭ４等に一時記憶させる。そして、複合装置１は、ユーザＹＵが入出力機能部２６〜２８から動作実行要求を行うと、動作管理機能部２１が、該一連の動作条件の入力操作で設定された動作条件の設定内容に応じて、複合装置１の各部を制御して該動作条件設定内容の画像処理動作を実行するとともに、動作管理機能部２１が、動作ログ入出力機能部２３、２４の動作ログ書き込み機能部２３に該動作条件と該画像処理動作の動作実行内容のログ情報を上記ユーザ情報に対応させて、補助記憶部５の動作ログ記憶機能部２５に書き込ませる。動作ログ書き込み機能部２３は、ログ情報の動作ログ記憶機能部２５への書き込みを行うと、書き込み結果を動作管理機能部２１に送り、動作管理機能部２１は、動作結果を入出力機能部２６〜２８によって表示ユニット９に表示させて処理を終了する。
【００４７】
複合装置１は、入出力機能部２６〜２８によって動作条件が設定されて該動作条件に基づいて画像処理動作を実行する毎に、該動作条件と動作履歴をユーザＹＵ毎のログ情報として動作ログ入出力機能部２３、２４によって動作ログ記憶機能部２５に書き込む処理を繰り返して実行し、動作ログ記憶機能部２５は、ログ情報をユーザ情報に対応させて順次記憶する。
【００４８】
複合装置１は、上述のように、補助記憶部５の動作ログ記憶機能部２５にユーザ情報毎のログ情報を記憶している状態で、ユーザＹＵから検索要求が入出力機能部２６〜２８から入力されると、入出力機能部２６〜２８が、動作管理機能部２１の制御下で、図４に示すようなログ検索初期画面Ｇ１を、表示ユニット９に表示させてユーザＹＵに提示する。このログ検索初期画面Ｇ１には、図４に示すように、キーワードでの検索を示す「キーワード検索」、複合装置１の動作設定時の設定操作（動作条件）での検索を示す「設定操作で検索」及び検索取り消しを示す「取り消し」の各項目を表示し、図４では、「設定操作で検索」が選択されている状態を示している。
【００４９】
複合装置１は、ログ検索初期画面Ｇ１で「設定操作で検索」が選択されて、検索要求が行われると、動作管理機能部２１が、図５に示すようなアプリケーション選択画面Ｇ２を、表示ユニット９に表示させてユーザＹＵに提示する。このアプリケーション選択画面Ｇ２は、複合装置１の備えているアプリケーション（コピー、スキャナ、プリンタ、ＦＡＸ、文書蓄積及びｅ文書等）を選択する画面構成、すなわち、複合装置１の動作設定における設定操作時と同様のアプリケーション選択を行う画面構成となっており、図５では、コピーアプリケーションが選択されている状態を示している。
【００５０】
動作管理機能部２１は、図５のアプリケーション選択画面Ｇ２でアプリケーションが選択操作されると、選択された該アプリケーションに対応するアプリケーション選択画面Ｇ２でコピーアプリケーションが選択操作されると、図６に示すようなログ検索条件設定画面Ｇ３を、表示ユニット９に表示させてユーザＹＵに提示する。なお、図６のログ検索条件設定画面Ｇ３は、動作条件としてのコピー動作条件を設定する画面と同様の画面構成となっている。
【００５１】
複合装置１は、ログ検索条件設定画面Ｇ３で、ユーザが任意に選択した動作種別（例えば、用紙サイズ、カラー等）に対する動作条件（例えば、用紙サイズでは、Ａ４横、Ａ４縦等、カラーでは、フルカラー等）が適宜設定されると、動作ログ検索機能部２２の検索管理機能部４１が設定された該動作条件を検索条件生成機能部４２に渡し、検索条件生成機能部４２が、渡された該動作種別毎の動作条件をＡＮＤ（アンド）結合してログ検索条件を生成して、検索管理機能部４１に渡す。例えば、検索条件生成機能部４２は、図７のアンド結合によるログ検索条件生成の説明図に示すように、選択された機能（アプリケーション）である「コピー」と、ログ検索条件設定画面Ｇ３で選択指定された用紙サイズである「Ａ４横」をアンド結合してログ検索条件を生成する。
【００５２】
一方、入出力機能部２６〜２８は、入力された動作条件（検索条件）を表示ユニット９に表示し、選択された該検索条件での検索開始がスタートキーの押下等によって指示されると、検索管理機能部４１に検索実行要求を行う。
【００５３】
検索管理機能部４１は、検索実行開始要求があると、検索条件生成機能部４２の生成したログ検索条件を検索読み取り機能部４３に渡して検索実行要求を行い、検索読み取り機能部４３は、検索実行要求があると、動作ログ入出力機能部２３、２４に該ログ検索条件を渡して検索読み出し要求を行う。
【００５４】
動作ログ検索読み取り機能部４３の動作ログ読み取り機能部２４は、検索読み出し要求があると、該ログ検索条件に基づいて補助記憶部５の動作ログ記憶機能部２５を検索する。
【００５５】
そして、入出力機能部２６〜２８は、上記ログ検索を検索管理機能部２１に依頼すると、例えば、図８に示すようなログ検索中であることを示すログ検索中画面Ｇ４を表示ユニット９に表示する。このログ検索中画面Ｇ４には、ログ検索中である旨、ログ検索条件である機能（コピー）及び設定条件（用紙サイズ：Ａ４横）が示されているとともに、中断ボタン５０が表示されている。
【００５６】
上記動作ログ読み取り機能部２４は、ログ検索条件に基づいて動作ログ記憶機能部２５のログ情報を検索して、検索結果のログ情報を読み出し、読み出した検索結果のログ情報を動作ログ検索読み取り機能部４３に渡す。
【００５７】
動作ログ検索読み取り機能部４３は、動作ログ読み取り機能部２４から受け取った検索結果のログ情報を検索管理機能部４１に渡し、検索管理機能部４１は、受け取った検索結果のログ情報を入出力機能部２６〜２８に渡す。入出力機能部２６〜２８は、検索結果のログ情報を受け取ると、例えば、図９に示すようなログ検索結果画面Ｇ５を表示ユニット９に表示して、該検索結果のログ情報をユーザＹＵに提示する。このログ検索結果画面Ｇ５では、検索条件（機能：コピー、設定条件；用紙：Ａ４横）と検索結果のログ情報及び「初期設定画面に戻る」、「ログ検索画面に戻る」、「設定画面に戻る」の各項目を表示しており、ログ情報として、例えば、「２００８／０３／２０  １７：１４：３７  ａａａ  コピー  １  Ａ４横・・・」が表示されている。
【００５８】
また、複合装置１は、ログ検索中画面Ｇ４において、中断ボタン５０が操作されると、入出力機能部２６〜２８が、検索管理機能部４１に該中断ボタン５０が操作された旨を通知し、検索管理機能部４１が、動作ログ検索読み取り機能部４３を介して動作ログ入出力機能部２３の動作ログ読み取り機能部２４によるログ検索を中断させるとともに、図１０に示すようなログ検索中断画面Ｇ６を表示ユニット９に表示する。このログ検索中断画面Ｇ６には、ログ検索が中断された旨、検索条件である機能（コピー）及び設定条件（用紙サイズ：Ａ４横）が示されているとともに、「初期設定画面に戻る」、「ログ検索画面に戻る」、「設定画面に戻る」の各項目が表示されている。
【００５９】
このように、本実施例の複合装置１は、動作管理機能部２１が、入出力機能部２６〜２８において所定の入力方式で入力された動作種別に対する動作条件に応じた画像処理を、読み取り機能部２９、印刷機能部３０、ファクシミリ機能部等によって画像データに対して施して、動作ログ書き込み機能部２３を介して該画像処理動作の実行に対する動作実行履歴を動作種別に対する動作条件とともにログ情報として補助記憶部５の動作ログ記憶機能部２５に記憶し、該動作条件の入力方式と同様の入力方式で、入出力機能部２６〜２８から入力された動作条件をログ検索用動作条件として、ログ情報を検索するためのログ検索条件を検索条件生成機能部４２で生成して、動作ログ検索読み取り機能部４３が、動作ログ読み取り機能部２４を介して、生成された該ログ検索条件に基づいて動作ログ記憶機能部２５からログ情報を検索して、検索された該ログ情報を入出力機能部２６〜２８から出力する。
【００６０】
したがって、複合装置１に画像処理を行わせる際の動作条件の入力方式と同様の入力方式でログ情報の検索条件（動作条件）を入力して、ログ情報を検索することができ、直感的で分かりやすいログ検索を可能として、利用性を向上させることができる。
【００６１】
また、本実施例の複合装置１は、ログ検索条件の生成において、同じ動作種別に対して複数の動作条件が入力されると、入力された複数の該動作条件のアンド（論理和）を該動作種別のログ検索用動作条件としてログ検索条件を生成している。
【００６２】
したがって、複合装置１に画像処理を行わせる際の動作条件と同様の動作条件をログ情報の検索条件として、ログ情報の検索を行うことができ、より一層適切なログ情報を検索することができる。
【００６３】
なお、上記説明では、動作条件をアンド（ＡＮＤ）結合、すなわち、動作条件を論理積結合してログ検索条件を生成してログ検索を行う場合について説明したが、ログ検索条件の生成においては、アンド結合した動作条件に基づいて生成する方式に限るものではなく、動作条件をそれぞれの動作条件の動作種別内でオア（ＯＲ）結合、すなわち、論理和結合して、該オア結合した動作条件をログ検索用動作条件としてログ検索条件を生成するようにしてもよい。
【００６４】
この場合、入出力機能部２６〜２８は、図５に示したアプリケーション選択画面Ｇ２でアプリケーション、例えば、コピーが選択されると、図１１に示すようなログ検索条件設定画面Ｇ７を表示ユニット９に表示して、ユーザＹＵに提示する。なお、図１１のログ検索条件設定画面Ｇ７は、図６と同様に、動作条件としてのコピー動作条件を設定する画面と同様の画面構成となっており、［Ａ４横」と「Ａ４縦」が動作条件として選択されている状態を示している。
【００６５】
そして、検索条件生成機能部４２は、図１２のオア結合を含んだログ検索条件生成説明図に示すように、紙種別、カラー選択、濃度選択等の動作種別に関してはアンド結合し、各動作種別内で、複数の動作条件が選択されていると、該動作種別内における動作条件については、オア結合によってログ検索用動作条件を決定して、決定した該ログ検索用動作条件に基づいてログ検索条件を生成する。すなわち、図１２に示すように、選択された機能（アプリケーション）である「コピー」と、ログ検索条件設定画面Ｇ１１で選択指定された各動作種別の動作条件をアンド結合するとともに、動作種別である用紙サイズについては、その選択された複数の動作条件である「Ａ４横」と「Ａ４縦」をオア結合してログ検索用動作条件として、ログ検索条件を生成する。
【００６６】
検索管理機能部４１は、検索実行開始要求があると、検索条件生成機能部４２の生成したログ検索条件を検索読み取り機能部４３に渡して検索実行要求を行い、検索読み取り機能部４３は、検索実行要求があると、動作ログ入出力機能部２３、２４の動作ログ読み取り機能部２４に該ログ検索条件を渡して検索読み出し要求を行う。動作ログ読み取り機能部２４は、検索読み出し要求があると、該ログ検索条件及びユーザ情報に基づいて補助記憶部５の動作ログ記憶機能部２５を検索する。
【００６７】
このオア結合を含んだログ検索条件での検索においては、入出力機能部２６〜２８は、図１３に示すようなログ検索中画面Ｇ８を表示ユニット９に表示する。このログ検索中画面Ｇ８には、ログ検索中である旨、検索条件である機能（コピー）及びオア結合による検索条件であることを示す設定条件（用紙サイズ：Ａ４縦／Ａ４横）が示されているとともに、中断ボタン５０が表示されている。
【００６８】
そして、動作ログ読み取り機能部２４は、オア結合されたログ検索用動作条件に基づいて生成されたログ検索条件に基づいて動作ログ記憶機能部２５を検索して、検索結果のログ情報を読み出し、読み出した検索結果のログ情報を動作ログ検索読み取り機能部４３に渡す。動作ログ検索読み取り機能部４３は、動作ログ読み取り機能部２４から受け取った検索結果のログ情報を検索管理機能部４１に渡し、検索管理機能部４１は、受け取った検索結果のログ情報を入出力機能部２６〜２８に渡す。入出力機能部２６〜２８は、検索結果のログ情報を受け取ると、例えば、図１４に示すようなログ検索結果画面Ｇ９を表示ユニット９に表示して、該検索結果のログ情報をユーザＹＵに提示する。このログ検索結果画面Ｇ９では、検索条件（機能：コピー、設定条件；用紙：Ａ４縦／Ａ４横）と検索結果のログ情報及び「初期設定画面に戻る」、「ログ検索画面に戻る」、「設定画面に戻る」の各機能ボタンを表示している。
【００６９】
このように、ログ検索条件をオア結合したログ検索用動作条件に基づいて生成すると、複合装置１に画像処理を行わせる際の動作条件よりも幅広いログ検索条件によってログ情報を検索することができ、利用性をより一層向上させることができる。
【００７０】
また、本実施例の複合装置１は、ログ検索条件の生成においては、図６や図１１に示したログ検索条件設定画面Ｇ３、Ｇ７において選択されていない動作条件については、検索管理機能部４１が、予め設定されている初期設定値（初期設定動作条件）が選択されたものとしてログ検索用動作条件を決定し、検索条件生成機能部４２が、決定された該ログ検索用動作条件に基づいて、例えば、図１５に示すように、ログ検索条件を生成するようにしてもよい。
【００７１】
この初期設定値の動作条件を含んだログ検索においては、入出力機能部２６〜２８は、図１６に示すようなログ検索中画面Ｇ１０を表示ユニット９に表示する。このログ検索中画面Ｇ１０には、ログ検索中である旨、検索条件である機能（コピー）及び初期設定値の動作条件に基づいて生成したログ検索条件を設定条件（用紙サイズ：Ａ４横、カラー選択：フルカラー、濃度設定：自動、文書蓄積：しない、両面／分割：片面→両面、変倍：１００％、集約：しない）が示されているとともに、中断ボタン５０が表示されている。
【００７２】
このように、選択されない動作条件については、予め設定されている初期設定動作条件等の設定動作条件を用いてログ検索条件を生成して、ログ情報を検索すると、複合装置１に画像処理を行わせる際の動作条件により一層近い動作条件をログ情報の検索条件として、ログ情報の検索を行うことができ、より一層適切なログ情報を検索することができる。
【００７３】
なお、本実施例の複合装置１は、ログ検索条件の生成においては、図６や図１１に示したログ検索条件設定画面Ｇ３、Ｇ７において動作条件の選択されていない動作種別については、検索管理機能部４１が、ログ検索用動作条件から該動作種別の動作条件を除外し、検索条件生成機能部４２が、該ログ検索用動作条件に基づいてログ検索条件を生成するようにしてもよい。
【００７４】
このようにすると、ユーザの意図する動作条件のみからログ検索条件を生成して、ログ情報の検索を行うことができ、より一層利用性を向上させることができる。
【００７５】
また、本実施例の複合装置１は、ログ検索条件の生成においては、図６や図１１に示したログ検索条件設定画面Ｇ３、Ｇ７において、一旦選択されたが、解除された動作条件については、検索管理機能部４１が、初期設定値（初期設定動作条件）等の予め設定された設定動作条件を採用し、その他の選択されていない動作条件については、該動作条件を除外してログ検索用動作条件を決定して、検索条件生成機能部４２が、決定された該ログ検索用動作条件に基づいてログ検索条件を生成するようにしてもよい。
【００７６】
このようにすると、ログ情報の検索目的等に応じてユーザの意図する動作条件から適宜ログ検索条件を生成して、ログ情報の検索を行うことができ、より一層利用性を向上させることができる。
【００７７】
さらに、本実施例の複合装置１は、上記アンド結合のみの動作条件（すなわち、単独動作条件）でログ検索条件を生成するのか、複数の動作条件のオア結合を含む動作条件（すなわち、複数動作条件）でログ検索条件を生成するのかを選択可能としてもよく、また、未選択の動作条件に対しては除外してログ検索条件を生成するのか、未選択の動作条件に対して初期設定値等の設定動作条件を用いてログ検索条件を生成するのかを検索条件初期設定で選択可能としてもよい。この検索条件初期設定は、ユーザＹＵ毎に設定することができ、複合装置１は、該検索条件初期設定内容を、ユーザＹＵのユーザ情報に対応させて補助記憶部５に記憶する。
【００７８】
この場合、入出力機能部２６〜２８は、例えば、図１７に示すように、単独動作条件と複数動作条件のいずれの検索方法（検索条件）を利用するのかの検索条件と、未設定ボタンを検索から除外するのか初期設定値を用いるのかの未設定ボタンに対する処理方法を初期設定する検索方法初期設定画面Ｇ１１を表示ユニット９に表示して、ユーザＹＵが初期設定として選択操作可能とする。この検索方法初期設定画面Ｇ１１には、例えば、図１７に示すように、検索条件の選択ボタンとして、複数動作条件用の「複数の設定ボタンを選択」のボタンと、単独動作条件用の「単独の設定ボタンを選択」ボタンが表示され、未選択ボタンに対する処理方法を決定するボタンとして、未選択の動作条件を除外する「検索キーに利用しない」のボタンと、未選択の動作条件に対して初期設定値（デフォルト）を用いる「デフォルト値で検索キー」のボタンが表示され、さらに、「取り消し」ボタンと「決定」ボタンが表示されているとともに、設定するユーザＹＵを特定した初期設定であることを示す設定情報（例えば、図１７では、「ａａａさんのユーザ別初期設定」）が表示される。
【００７９】
そして、複合装置１は、検索方法初期設定画面Ｇ１１で設定されたユーザ情報毎の検索方法初期設定情報を、補助記憶部５に、例えば、図１８に示すように、検索方法初期設定テーブルとして登録する。
【００８０】
このようにすると、ユーザＹＵ毎に、ログ情報の検索目的等に応じて予め設定した動作条件からログ検索条件を生成して、ログ情報の検索を行うことができ、より一層利用性を向上させることができる。
【００８１】
また、本実施例の複合装置１は、上記検索方法を、予め初期設定するだけでなく、ログ情報の検索を行う際に、選択可能としてもよい。この場合、複合装置１は、例えば、ログ検索モードに移行すると、入出力機能部２６〜２８が、例えば、図１９に示すような検索方法選択設定画面Ｇ１２を表示ユニット９に表示し、図１９の検索方法選択設定画面Ｇ１２では、例えば、大きく分けて、ログ検索条件を、動作条件である設定操作で検索条件を選択するか、キーワードで設定するかを選択するボタン構成となっていて、設定操作で検索条件を選択するボタンには、単独動作条件を設定する「単独ボタン検索条件を選択」と未選択の動作条件を検察条件から除外する「未選択ボタンは検索に利用しない」を設定する項目、複数動作条件を設定する「複数ボタンで検索条件を選択」と「未選択ボタンは検索に利用しない」を設定する項目、「単独ボタンで検索条件を選択」と未選択の動作条件に対して初期設定値（デフォルト）を用いる「未選択ボタンはデフォルト値で検索キー」の機能ボタン及び「複数ボタンで検索条件を選択」と「未選択ボタンはデフォルト値で検索キー」を設定する項目が表示されている。
【００８２】
そして、複合装置１は、この検索方法選択設定画面Ｇ１２での選択結果に応じて、検索条件生成機能部４２がログ検索条件を生成する。
【００８３】
このようにすると、ログ検索を行う際の該ログ検索の目的に応じた動作条件を設定してログ検索条件を生成してログ情報の検索を行うことができ、利用性をより一層向上させることができる。
【００８４】
また、上述のように、動作条件の設定においては、一度選択された動作条件が解除されると、動作条件から除外して動作条件を決定し、決定した該動作条件に基づいてログ検索条件を生成するようにしてもよい。
【００８５】
このようにすると、間違えて選択した動作条件を動作条件から除外することができ、意図する動作条件からログ検索条件を生成してログ検索を行うことができる。
【００８６】
さらに、上述のように、動作条件の設定においては、一度選択された動作条件が解除されると、該動作種別の動作条件として予め設定されている設定動作条件（初期動作条件）を用いて動作条件を決定し、決定した該動作条件に基づいてログ検索条件を生成するようにしてもよい。
【００８７】
このようにすると、動作条件の選択と解除を行うことで、動作条件として初期動作条件等の設定動作条件を選択することができ、意図する動作条件からログ検索条件を生成してログ情報の検索を行うことができる。
【００８８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００８９】
本発明は、動作履歴のログ情報を検索する複写装置、ファクシミリ装置、プリンタ装置、複合装置等の画像処理装置、画像処理方法、画像処理プログラム及び記録媒体に利用することができる。
【図面の簡単な説明】
【００９０】
【図１】本発明の一実施例を適用した複合装置のハードウェアのブロック構成図。
【図２】複合装置の機能ブロック構成図。
【図３】ログ書き込み処理及びログ検索・読み取り処理のシーケンス図。
【図４】ログ検索初期画面の一例を示す図。
【図５】アプリケーション選択画面の一例を示す図。
【図６】アンド結合によるログ検索条件設定画面の一例を示す図。
【図７】アンド結合によるログ検索条件生成の説明図。
【図８】ログ検索中画面の一例を示す図。
【図９】ログ検索結果画面の一例を示す図。
【図１０】ログ検索中断画面の一例を示す図。
【図１１】オア結合によるログ検索条件設定画面の一例を示す図。
【図１２】オア結合を含んだログ検索条件生成の説明図。
【図１３】オア結合を含んだログ検索条件でのログ検索中画面の一例を示す図。
【図１４】オア結合を含んだログ検索条件でのログ検索結果画面の一例を示す図。
【図１５】初期設定の動作条件を含んだログ検索条件生成の説明図。
【図１６】初期設定の動作条件を含んだログ検索条件でのログ検索中画面の一例を示す図。
【図１７】検索方法初期設定画面の一例を示す図。
【図１８】検索方法初期設定テーブルの一例を示す図。
【図１９】検索方法選択設定画面の一例を示す図。
【符号の説明】
【００９１】
１  複合装置
２  ＣＰＵ
３  ＲＯＭ
４  ＲＡＭ
５  補助記憶部
６  プロッタユニット
７  スキャナユニット
８  操作ユニット
９  表示ユニット
１０  ネットワークＩ／Ｆ
１１  システムバス
２１  動作管理機能部
２２  動作ログ検索機能部
２３  動作ログ書き込み機能部
２４  動作ログ読み取り機能部
２５  動作ログ記憶機能部
２６  入力機能部
２７  表示機能部
２８  ネットワーク入出力機能部
２９  読み取り機能部
３０  印刷機能部
３１  メモリ管理機能部
３２  ユーザ管理機能部
４１  検索管理機能部
４２  検索条件生成機能部
４３  動作ログ検索読み取り機能部
５０  中断ボタン
ＹＵ  ユーザ
Ｇ１  ログ検索初期画面
Ｇ２  アプリケーション選択画面
Ｇ３  ログ検索条件設定画面
Ｇ４  ログ検索中画面
Ｇ５  ログ検索結果画面
Ｇ６  ログ検索中断画面
Ｇ７  ログ検索結果画面
Ｇ８  ログ検索中画面
Ｇ９  ログ検索結果画面
Ｇ１０  ログ検索中画面
Ｇ１１  検索方法初期設定画面
Ｇ１２  検索方法選択設定画面
【図１】
2010098557.tif 000003
【図２】
2010098557.tif 000004
【図３】
2010098557.tif 000005
【図４】
2010098557.tif 000006
【図５】
2010098557.tif 000007
【図６】
2010098557.tif 000008
【図７】
2010098557.tif 000009
【図８】
2010098557.tif 000010
【図９】
2010098557.tif 000011
【図１０】
2010098557.tif 000012
【図１１】
2010098557.tif 000013
【図１２】
2010098557.tif 000014
【図１３】
2010098557.tif 000015
【図１４】
2010098557.tif 000016
【図１５】
2010098557.tif 000017
【図１６】
2010098557.tif 000018
【図１７】
2010098557.tif 000019
【図１８】
2010098557.tif 000020
【図１９】
2010098557.tif 000021